(57)【要約】【課題】  重ね型携帯端末装置の２つの筐体が水平回転可能に連結されているという特長を充電器との関係において充分に活かすことができるようにした時計装置を提供する。【解決手段】  第１筐体２４と第２筐体２８が水平回転可能に連結される重ね型携帯端末装置２０と、重ね型携帯端末装置への充電を行なう充電器３０とを備えて、充電器は重ね型携帯端末装置と着脱自在に連結する連結軸３８と２つの給電端子５０ａ，５０ｂとを有し、重ね型携帯端末装置は連結軸と回転軸線上で連結して、第２筐体を充電器に対して回転させる第１の回転機構と、第２筐体に対して第１筐体を回転させる第２の回転機構と、２つの円環状の受電端子５２ａ，５２ｂとを有して、第１筐体又は第２筐体のいずれか一方が時計の長針として動作し、他方が短針として動作することにより時刻を表示するようにした。【選択図】      図３
2005244808.tif 000002
【特許請求の範囲】
【請求項１】
互いに重ね合わされる第１筐体と第２筐体のいずれか一方に、充電により繰り返して使用可能な二次電池を有すると共に、前記第１筐体と第２筐体のそれぞれの一端部が重ね合わせ方向に延びる回転軸線を中心にして互いに水平回転可能に連結される重ね型携帯端末装置と、
前記重ね型携帯端末装置への充電を行なう充電器とを備え、
前記充電器は、前記重ね型携帯端末装置と着脱自在に連結する連結軸と、この連結軸から互いに異なる距離の位置に配置される２つの給電端子とを有し、
前記重ね型携帯端末装置は、前記連結軸と前記回転軸線上で連結して、前記第２筐体を前記充電器に対して回転させる第１の回転機構と、第２筐体に対して第１筐体を回転させる第２の回転機構と、回転軸線を中心とする半径が前記２つの給電端子のそれぞれに対応する２つの円環状の受電端子とを有し、
前記第１筐体又は前記第２筐体のいずれか一方が時計の長針として動作し、他方が短針として動作することにより時刻を表示するようにしたことを特徴とする時計装置。
【請求項２】
前記重ね型携帯端末装置は、前記充電器に対する前記第２筐体の相対角度を検出する第１の角度センサー、及び第２筐体に対する前記第１筐体の相対角度を検出する第２の角度センサーを有し、
前記第１の角度センサー及び前記第２の角度センサーのそれぞれが検出する相対角度に基づいて、前記第２筐体及び前記第１筐体の動作を制御するようにした請求項１に記載の時計装置。
【請求項３】
前記第１の回転機構は、前記連結軸と着脱自在に連結する第１の歯車、及び第１のモーターの駆動軸に固定されて第１歯車と噛合う第２の歯車を有し、
前記第２の回転機構は、前記第１筐体に固定されている回転軸に固定されている第３の歯車、及び第２のモーターの駆動軸に固定されて第３歯車と噛合う第４の歯車を有し、
前記第１の回転機構及び前記第２の回転機構が、第２筐体の内部に配置されるようにした請求項１又は請求項２に記載の時計装置。
【請求項４】
時計の長針として動作する前記第１筐体又は前記第２筐体のいずれか一方が、所定時刻に反時計回りに１回転するようにした請求項１ないし請求項３のいずれか一に記載の時計装置。
【発明の詳細な説明】
【技術分野】
【０００１】
本発明は、互いに重ね合わされる２つの筐体がその対抗面に対して略平行に回転可能に連結されている重ね型携帯端末装置を充電器に取付けることにより、２つの筐体が時刻表示の長針と短針として機能するようにした時計装置に関するものである。
【背景技術】
【０００２】
携帯電話機等のような携帯端末装置には、ニッカド電池やリチウムイオン電池のように、充電して繰り返し使用することができる二次電池を電源として備えているものがあった。そして、図９に示すように、このような二次電池を備える携帯端末装置２に充電する際には、この携帯端末装置２に対応する充電器４を用いるようになっていた（例えば、特許文献１参照）。
【０００３】
すなわち、携帯端末装置２を充電器４に載置すると、携帯端末装置２の長さ方向の一方の端部に設けられた受電端子６と充電器４に設けられている給電端子８が互いに接触することにより電気的に導通して、携帯端末装置の二次電池に充電することができるようになっていた。
【０００４】
また、図示しないが、前記携帯端末装置２と異なる別の携帯端末装置として、２つの筐体がヒンジ構造により折畳み自在に連結される折畳み型携帯電話機のような折畳み型携帯端末装置があった。
【０００５】
この折畳み型携帯端末装置は、その２つの筐体を開いた状態又は折畳んだ状態のいずれかの状態で、この折畳み型携帯端末装置に対応する充電器に載置するようになっていて、前記携帯端末装置２と同様に、充電器に載置したときに充電されるようになっていた。
【０００６】
一方、２つの筐体を備え、それぞれの筐体をその厚さ方向に重ねることができて、この２つの筐体のそれぞれの長さ方向の端部が、厚さ方向に平行な回転軸線を中心として互いに水平回転することができるように連結されている重ね型携帯端末装置があった（図１参照）。
【０００７】
この重ね型携帯端末装置は、前記折畳み型携帯端末装置と異なり、２つの筐体を水平方向に回転させることができると共に、表示部の表示面を常に見ることができるという特長を有している。したがって、重ね型携帯端末装置は、このような特長を利用することにより、２つの筐体を互いに回転させたときの動作を１つの操作等として利用したり、２つの筐体の互いの角度に対応して様々な機能を動作させたりすることができた。
【０００８】
また、この重ね型携帯端末装置は、図示しないが、単一の筐体で構成されている前記携帯端末装置２や前記折畳み型携帯端末装置と同様に、この重ね型携帯端末装置に対応する充電器に載置したときに充電されるようになっていた。
【特許文献１】特開平７−２７３８４９号公報
【発明の開示】
【発明が解決しようとする課題】
【０００９】
しかしながら、このような重ね型携帯端末装置及び充電器は、充電等の際に、重ね型携帯端末装置を充電器に載置するような構造になっていなくてもよく、このような載置するための構造とは異なる他の構造により、充電器が重ね型携帯端末装置を支持するようになっていてもよい。また、重ね型携帯端末装置は、その２つの筐体が水平回転可能になっているという特長を有しているにもかかわらず、充電器との関係において、この特長が活かされていないという問題があった。
【００１０】
そこで本発明は、上記問題点に鑑みて、重ね型携帯端末装置の２つの筐体が水平回転可能に連結されているという特長を充電器との関係において充分に活かすことができるようにした時計装置を提供することを課題とするものである。
【課題を解決するための手段】
【００１１】
上記課題を解決するために、本発明による時計装置は、
互いに重ね合わされる第１筐体と第２筐体のいずれか一方に、充電により繰り返して使用可能な二次電池を有すると共に、前記第１筐体と第２筐体のそれぞれの一端部が重ね合わせ方向に延びる回転軸線を中心にして互いに水平回転可能に連結される重ね型携帯端末装置と、
前記重ね型携帯端末装置への充電を行なう充電器とを備え、
前記充電器は、前記重ね型携帯端末装置と着脱自在に連結する連結軸と、この連結軸から互いに異なる距離の位置に配置される２つの給電端子とを有し、
前記重ね型携帯端末装置は、前記連結軸と前記回転軸線上で連結して、前記第２筐体を前記充電器に対して回転させる第１の回転機構と、第２筐体に対して第１筐体を回転させる第２の回転機構と、回転軸線を中心とする半径が前記２つの給電端子のそれぞれに対応する２つの円環状の受電端子とを有し、
前記第１筐体又は前記第２筐体のいずれか一方が時計の長針として動作し、他方が短針として動作することにより時刻を表示するようにしたことを特徴とするものである。
【００１２】
また、本発明の時計装置は、
前記重ね型携帯端末装置は、前記充電器に対する前記第２筐体の相対角度を検出する第１の角度センサー、及び第２筐体に対する前記第１筐体の相対角度を検出する第２の角度センサーを有し、
前記第１の角度センサー及び前記第２の角度センサーのそれぞれが検出する相対角度に基づいて、前記第２筐体及び前記第１筐体の動作を制御するようにしたことを特徴とするものである。
【００１３】
また、本発明の時計装置は、
前記第１の回転機構は、前記連結軸と着脱自在に連結する第１の歯車、及び第１のモーターの駆動軸に固定されて第１歯車と噛合う第２の歯車を有し、
前記第２の回転機構は、前記第１筐体に固定されている回転軸に固定されている第３の歯車、及び第２のモーターの駆動軸に固定されて第３歯車と噛合う第４の歯車を有し、
前記第１の回転機構及び前記第２の回転機構が、第２筐体の内部に配置されていることを特徴とするものである。
【００１４】
また、本発明の時計装置は、
時計の長針として動作する前記第１筐体又は前記第２筐体のいずれか一方が、所定時刻に反時計回りに１回転するようにしたことを特徴とするものである。
【発明の効果】
【００１５】
このような本発明の時計装置によれば、重ね型携帯端末装置の２つの筐体が水平回転可能に連結されているという特長を充電器との関係において充分に活かすことができる。
【発明を実施するための最良の形態】
【００１６】
以下、本発明に係る時計装置の実施の形態について、図面に基づいて具体的に説明する。図１ないし図７は、本発明の第１の実施の形態に係る時計装置７６、並びに、この時計装置７６が備える重ね型携帯電話機２０（重ね型携帯端末装置に相当）及び充電器３０について説明するために参照する図である。
【００１７】
図１に示すように、本実施の形態に係る重ね型携帯電話機２０は、表示部２２を有する第１筐体２４と、操作部２６を有する第２筐体２８を備えていて、第１筐体２４及び第２筐体２８のそれぞれの長さ方向の一方の端部２４ａ，２８ａが、第２筐体２８における操作部２６の配置されている操作面２８ｂに略直角の回転軸線を中心として回転することができるように連結されている。
【００１８】
そして、表示部２２の表示面２２ａは、図１に示すような第１筐体２４と第２筐体２８を開いた状態のときでも、この開いた状態から第１筐体２４を略１８０°回転させて、第２筐体２８と厚さ方向に重ねた状態のときでも、外側に露出させたままにしておくことができるように、操作部２６を有する面と略同じ方向を向いた第１筐体２４の面２４ｂ表示部２２を配置してある。
【００１９】
また、図示しないが、重ね型携帯電話機２０は、後述するように、その第２筐体２８の内部に二次電池７４を備えている。
【００２０】
図２は、本実施の形態に係る充電器３０を示す図である。この充電器３０は、机上に水平に載置される板部材３２に、垂直にしたときよりも水平方向に若干傾斜している支柱部材３４が植設されている。支柱部材３４における板部材３２側と反対側の端部３４ａには、この支柱部材３４の長さ方向と略直角方向に突出する円柱形状の給電部３６が形成されている。また、支柱部材３４には、給電部３６の端面３６ａから突出する軸形状の連結軸３８（連結部）が、給電部３６の同軸線上に形成されている。
【００２１】
図３に示すように、連結軸３８は、２つのピン部材４０を有している。このピン部材４０は、連結軸３８の長手方向と略直角の方向に付勢されて、この連結軸３８の外周３８ａから突出するようになっている。
【００２２】
一方、重ね型携帯電話機２０の第２筐体２８は、その内部に充電器３０の連結軸３８と連結する歯車４２を有している。この歯車４２は、その軸線が、第１筐体２４と第２筐体２８とを互いに回転するときの回転軸線に一致しており、回転自在に支持されて軸線方向には動かないようになっている。
【００２３】
そして、第２筐体２８における操作面２８ｂと反対側の背面２８ｃには、歯車４２のボス部４２ａに対応して孔部４８が形成されていると共に、ボス部４２ａの端面には連結軸３８が挿入される一定深さの連結孔４２ｂが、背面２８ｃ側に開口するように形成されている。
【００２４】
また、歯車４２には、その連結孔４２ｂの内周面に、連結軸３８のピン部材４０に対応する窪み４２ｃが形成されている。ピン部材４０はその先端が丸められているので、連結軸３８を連結孔４２ｂに挿入するときには、このピン部材４０の先端が連結孔４２ｂの内周面に当接して連結軸３８内に進入していくが、ピン部材４０が窪み４２ｃに対応する位置まで連結軸３８が挿し込まれると、ピン部材４０は窪み４２ｃ内に突出して引っ掛かるようになっている。
【００２５】
したがって、所定の荷重よりも軽微な荷重が加わっても、連結軸３８は連結孔４２ｂから抜けてしまうことがなく、また、連結軸３８に対して歯車４２だけが回転してしまうことがない。そして、所定の荷重よりも大きい荷重が連結軸３８を連結孔４２ｂから引抜く方向に加わると、ピン部材４０が連結軸３８内に押し込まれてスムーズに引抜くことができるので、連結軸３８は連結孔４２ｂに着脱自在になっている。
【００２６】
また、充電器３０の給電部３６には、その端面３６ａから、付勢されて突出する２つの給電端子５０ａ，５０ｂが設けられている。この給電端子５０ａ，５０ｂのそれぞれは、充電器３０内で不図示の電気配線により電源側に接続されている。また、給電端子５０ａ，５０ｂのそれぞれは、連結軸３８の軸線からの距離が若干異なっている。
【００２７】
重ね型携帯電話機２０の第２筐体２８には、充電器３０の給電端子５０ａ，５０ｂのそれぞれに対応する受電端子５２ａ，５２ｂが設けられていて、第２筐体２８を連結軸３８に連結すると、充電器３０側の給電端子５０ａ，５０ｂが、重ね型携帯電話機２０側の受電端子５２ａ，５２ｂに接触するようになっている。
【００２８】
そして、重ね型携帯電話機２０の受電端子５２ａ，５２ｂは、図４に示すように、第１筐体２４と第２筐体２８が互いに回転するときの回転軸線を中心として円環状に形成されているので、第２筐体２８が連結軸３８を中心に回転したときでも、常に充電器３０の給電端子５０ａ，５０ｂに導通させておくことができる。
【００２９】
また、図５に示すように、重ね型携帯電話機２０は、その第２筐体２８内に、この第２筐体２８を充電器３０の連結軸３８に対して回転させるための第１の回転機構４６と、第１筐体２４を第２筐体２８に対して回転させるための第２の回転機構４７を備えている。
【００３０】
第１の回転機構４６は、既に説明した歯車４２、並びに歯車４３及びモーター５４により構成されている。歯車４３は歯車４２と噛合っており、モーター５４は、第２筐体２８内に固定されていて、歯車４３を回転させるようになっている。第２筐体２８は、充電器３０の連結軸３８と歯車４２とが連結しているときにモーター５４が駆動すると、連結軸３８及び歯車４２を中心にして回転するようになっている。
【００３１】
また、第２の回転機構４７は、歯車４４，４５、回転軸５６及びモーター６０により構成されている。回転軸５６は、第１筐体２４における表示部２２の表示面２２ａと反対側の背面２４ｃに固定されていて、この第１筐体２４と第２筐体２８とを互いに水平回転可能に連結している。
【００３２】
回転軸５６は、第２筐体２８の軸受け孔５８に回転自在に嵌められていて、その先端部５６ａには第２筐体２８内の歯車４４が固定されている。そして、歯車４４は、第２筐体２８内に固定されているモーター６０により回転する歯車４５と噛合っている。
【００３３】
また、第２筐体２８の内部には、角度センサー６２，６４（角度検出部）が備えられている。角度センサー６２は、充電器３０に対する第２筐体２８の相対角度を検出するようになっている。角度センサー６４は、第２筐体２８に対する第１筐体２４の相対角度を検出するようになっている。
【００３４】
このような角度センサー６２，６４としては、例えば、反射型の光学センサー、磁気を利用した近接センサー又は機械的スイッチ等を用いるようにして、この角度センサー６２，６４のそれぞれの近傍を通過する歯車４２，４４の歯の数をカウントすることにより、角度の算出を行なうようにする。
【００３５】
また、図示しないが、歯車４２，４４の歯の数をカウントすることに代えて、歯車４２，４４のそれぞれに、被検出用の模様等を印刷したり凹凸を形成しておいて、角度センサー６２，６４がこれらを検出することにより、角度を算出するようにしてもよい。
【００３６】
次に、図６は、この重ね型携帯電話機２０の回路構成を示すブロック図である。既に説明したように、重ね型携帯電話機２０は、表示部２２、操作部２６、モーター５４，６０、角度センサー６２，６４を備えており、これら以外に、スピーカー６６、マイクロホン６８、無線部７０、及びこれらを制御する制御部７２を備えている。
【００３７】
また、重ね型携帯電話機２０は、第２筐体２８内に二次電池７４及び残量検出部７４ａを備えていて、残量検出部７４ａは、二次電池７４の残量や充電の開始等を検出して、これを制御部７２に出力するようになっている。
【００３８】
また、スピーカー６６、マイクロホン６８及び無線部７０は、一般的な携帯電話機と同様に動作するものであるため、その説明は省略する。
【００３９】
図７に示すように、重ね型携帯電話機２０を充電器３０に取付けた場合には、重ね型携帯電話機２０の制御部７２の制御動作により、この重ね型携帯電話機２０と充電器３０は時計装置７６として機能し、重ね型携帯電話機２０の第１筐体２４及び第２筐体２８のそれぞれが時計の長針及び短針として動作することにより、時刻を表示するようになっている。重ね型携帯電話機２０及び充電器３０が、時計装置７６として機能する場合の動作を、以下に詳しく説明する。
【００４０】
重ね型携帯電話機２０及び充電器３０を時計装置７６として機能させるには、図７（ａ）に示すように、重ね型携帯電話機２０の第１筐体２４と第２筐体２８を重ねた状態にした後に、第１筐体２４の端部２４ａが上側になるように、その長さ方向を垂直の姿勢にして、充電器３０に取付ける。
【００４１】
図７（ｂ）に示すように、重ね型携帯電話機２０が充電器３０に取付けられると、直ちに充電器３０による充電が開始される。制御部７２は、充電が開始されたことを検出してから一定時間経過後に、時計の長針としての第１筐体２４と、短針としての第２筐体２８の現在時刻における相対角度を算出するようになっている。例えば、現在時刻が１５時４７分であるときには、第１筐体２４の第２筐体２８に対する相対角度は時計回り方向に１６８．５°である。
【００４２】
また、制御部７２は、第２筐体２８の現在時刻における短針の角度を算出し、さらに、時刻の６時又は１８時を示すときの角度に対する相対角度を算出するようになっている。現在時刻が１５時４７分であるときには、６時又は１８時を示すときの角度に対する第２筐体２８の相対角度は、反時計回り方向に６６．５°になる。
【００４３】
次に、制御部７２は、図５に示すように、歯車４４の動作に基づいて、角度センサー６４により第２筐体２８に対する第１筐体２４の角度を検出しながら、第２の回転機構４７のモーター６０を駆動させて第１筐体２４を回転させ、角度センサー６４が現在時刻における第１筐体２４と第２筐体２８の相対角度を検出したときに、第１筐体２４の回転を停止させる。
【００４４】
このときの第１筐体２４の回転動作は、時計として通常に動作しているときの長針の速さで動作するのではなく、時刻調節を行なうために通常時よりも速く回転するようになっている。
【００４５】
現在時刻が１５時４７分であるときには、図７（ｃ）に示すように、第１筐体２４は、図７（ｂ）に示す状態から時計回りに１６８．５°だけ回転して停止する。
【００４６】
次に、制御部７２は、図５に示すように、歯車４２の動作に基づいて、角度センサー６２により充電器３０に対する第２筐体２８の角度を検出しながら、第１の回転機構４６のモーター５４を駆動させて第２筐体２８を回転させ、角度センサー６２が、時刻の６時又は１８時の角度に対する現在時刻の第２筐体２８の角度を検出したときに、その回転を停止させる。
【００４７】
このときの第２筐体２８の回転動作は、時計として通常に動作しているときの短針の速さで動作するのではなく、時刻調節を行なうために通常時よりも速く回転するようになっている。また、第２筐体２８の角度を調節するときには、この第２筐体２８に対して第１筐体２４は回転しないため、第１筐体２４は第２筐体２８と一緒に回転することになる。
【００４８】
現在時刻が１５時４７分であるときには、図７（ｄ）に示すように、第２筐体２４及び第１筐体２８は、図７（ｃ）に示した状態から反時計回りに６６．５°だけ回転して停止する。
【００４９】
そして、第１筐体２４及び第２筐体２８のそれぞれは、時計の長針及び短針として現在の時刻を表示するための角度に調節された後に、一般的な時計の長針及び短針として動作するようになっている。例えば、図７（ｄ）に示すように、１５時４７分を表示する状態から２時間１３分を経過すると、図７（ｅ）に示すように、１８時を表示する状態になる。
【００５０】
このような本実施の形態にかかる時計装置７６によれば、重ね型携帯電話機２０の第１筐体２４及び第２筐体２８が水平回転可能に連結されているという特長を充電器３０との関係において充分に活かし、現在時刻を表示することができる。
【００５１】
また、重ね型携帯電話機２０の第１筐体２４及び第２筐体２８のそれぞれが、時計の長針及び短針として動作しているときでも、充電器３０による充電動作を継続的に行なうことができる。
【００５２】
また、重ね型携帯電話機２０を充電器３０に取付けるだけで、重ね型携帯電話機２０の第１筐体２４及び第２筐体２８のそれぞれが、現在時刻を表示するための角度まで自動的に回転するので、第１筐体２４及び第２筐体２８の角度をユーザーが調節する必要がないため便利である。
【００５３】
次に、本発明の第２の実施の形態について説明する。図８は、本発明の第２の実施の形態に係る時計装置８４、並びに、この時計装置８４が備える重ね型携帯電話機８０（重ね型携帯端末装置に相当）及び充電器８２について説明するために参照する図である。前記第１の実施の形態に係る時計装置７６並びに重ね型携帯電話機２０及び充電器３０と、同様の構成や動作についての重複する説明は省略するものとする。
【００５４】
図８（ａ）及び（ｂ）に示すように、本実施の形態に係る時計装置８４は、その重ね型携帯電話機８０の第１筐体２４と第２筐体２８を重ねた状態にした後に、第１筐体２４の端部２４ａが下側になるように、その長さ方向を垂直の姿勢にして、充電器８２に取付ける。
【００５５】
そして、重ね型携帯電話機８０の制御部７２は、重ね型携帯電話機８０を充電器８２に取付けてから一定時間経過後に、第２筐体２８に対する第１筐体２４の現在時刻の相対角度を算出すると共に、時刻の０時又は１２時の角度に対する第２筐体２８の現在時刻の角度を算出するようになっている。これらの角度は、時計回り方向を正方向として算出される。
【００５６】
例えば、現在時刻が１５時４７分であるときには、第２筐体２８に対する第１筐体２４の現在時刻の相対角度は１６８．５°であり、時刻の０時又は１２時の角度に対する第２筐体２８の現在時刻の角度は１１３．５°になる。
【００５７】
次に、制御部７２は、第２筐体２８を現在時刻に対応する角度まで時計回りに回転させた後に、第１筐体２４を第２筐体２８に対して相対角度だけ回転させることにより、図８（ｃ）に示すように、現在時刻を表示させる。
【００５８】
現在時刻を表示させた後は、第１筐体２４及び第２筐体２８のそれぞれは、時計の長針及び短針として通常に動作するが、図８（ｄ）に示すように、第１筐体２４が時刻の６０分を示す角度まで移動したときには、この第１筐体２４を反時計回りに３６０°回転させるようになっている。このときの第１筐体２４の回転動作は、通常時における長針としての速さで動作するのではなく、時刻調節を行なうために通常時ようりも速く回転する。
【００５９】
そして、第１筐体２４に長針としての通常の動作を６０分間だけ行なわせて、図８（ｅ）に示すように、再び時刻の６０分を示す角度まで移動したときには、前回と同様に第１筐体２４を反時計回りに３６０°回転させるようになっている。このように、長針としての第１筐体２４は、時刻の６０分を示す角度まで移動するごとに、反時計回りに３６０°回転するようになっている。
【００６０】
そして、図８（ｆ）に示すように、第１筐体２４は、第２筐体２８が０時又は１２時を指し示すのと同時に、時刻の６０分を示す角度まで移動したときに限り、長針としての通常の動作を継続して、反時計回りに３６０°回転しないようになっている。
【００６１】
このような本実施の形態にかかる時計装置８４によれば、前記第１の実施の形態と同様に、重ね型携帯電話機２０の２つの筐体が水平回転可能に連結されているという特長を充電器３０との関係において充分に活かし、現在時刻を表示することができる。
【００６２】
また、前記第１の実施の形態と同様に、重ね型携帯電話機８０の第１筐体２４及び第２筐体２８のそれぞれが、時計の長針及び短針として動作しているときでも、充電器８２による充電動作を継続的に行なうことができる。
【００６３】
また、前記第１の実施の形態と同様に、重ね型携帯電話機８０を充電器８２に取付けるだけで、重ね型携帯電話機８０の第１筐体２４及び第２筐体２８のそれぞれが、現在時刻を表示するための角度まで自動的に回転するので、第１筐体２４及び第２筐体２８の角度をユーザーが調節する必要がないため便利である。
【００６４】
また、本実施の形態に係る時計装置８４によれば、０時及び１２時以外であって、重ね型携帯電話機８０の第１筐体２４が時刻の６０分を示す角度まで回転したときに、この第１筐体２４が反時計回りに３６０°戻るようにしたので、重ね型携帯電話機８０の第１筐体２４と第２筐体２８が互いに回転するときの回転数に制限があるような構造であっても、この第１筐体２４と第２筐体２８のそれぞれを、長針及び短針として継続的に用いることができる。
【００６５】
なお、前記第１及び第２の実施の形態においては、充電器３０，８２に対して重ね型携帯電話機２０，８０の第２筐体２８を回転させるための第１の回転機構４６として、歯車４２，４３及びモーター５４を用いるようにし、第１筐体２４を第２筐体２８に対して回転させるための第２の回転機構４７として、歯車４４，４５及びモーター６０を用いるようにしたが、第１の回転機構４６及び第２の回転機構４７は、このような機構に限定されない。例えば、ベルト掛け伝動機構やリンク機構等を用いてもよく、或は、歯車、ベルト掛け伝動機構又はリンク機構等のいずれかを組合せて用いるようにしてもよい。
【００６６】
また、前記第１及び第２の実施の形態においては、角度センサー６２，６４として、反射型の光学センサー、磁気を利用した近接センサー又は機械的スイッチ等を用いる場合について説明したが、角度センサー６２，６４のそれぞれが第２筐体２８及び第１筐体２４に固定して配置されていて、重力方向を検出することにより、第２筐体２８及び第１筐体２４のそれぞれの角度を算出するようになっていてもよい。
【００６７】
また、前記第１及び第２の実施の形態においては、制御部７２が、角度センサー６２，６４により検出される角度に基づいて、第２筐体２８及び第１筐体２４の回転動作を制御するようになっていたが、モーター５４，６０に代えて回転角度を制御することができるようなモーターを用いれば、角度センサー６２，６４を備えなくともよい。
【００６８】
また、前記第１及び第２の実施の形態において、充電器３０，８２はテーブル等に載置する構造になっているが、このような構造に限定されず、例えば、壁等に掛けることができるようになっていてもよい。
【００６９】
また、前記第１及び第２の実施の形態に係る時計装置７６，８４は、所定の時間になったとき等に、その重ね型携帯電話機２０，８０のスピーカー６６から所定の音楽や時報を出力したり、表示部２２に所定の画像等を出力するようになっていてもよい。例えば、前記第２の実施の形態において、第１筐体２４が時刻の６０分を指し示したときには、所定の音楽を出力しながら第１筐体２４が反時計回りに３６０°回転するようになっていてもよい。
【００７０】
また、前記第１及び第２の実施の形態においては、時計装置７６，８４が、重ね型携帯電話機２０，８０及びこれに対応する充電器３０，８２を備えている場合について説明したが、ＰＤＡ（Ｐｅｒｓｏｎａｌ  Ｄｉｇｉｔａｌ  Ａｓｓｉｓｔａｎｔ）等のような他の種類の重ね型携帯端末装置及びこれに対応する充電器を備えるようになっていてもよいことはいうまでもない。
【図面の簡単な説明】
【００７１】
【図１】本発明の第１の実施の形態に係る重ね型携帯電話機２０の斜視図である。
【図２】本発明の第１の実施の形態に係る充電器３０の斜視図である。
【図３】本発明の第１の実施の形態に係る重ね型携帯電話機２０及び充電器３０の側面拡大断面図である。
【図４】図３に示す第２筐体２８の拡大背面図である。
【図５】図３に示す重ね型携帯電話機２０及び充電器３０のＡ−Ａ矢視断面図である。
【図６】本発明の第１の実施の形態に係る重ね型携帯電話機２０の回路構成を示すブロック図である。
【図７】本発明の第１の実施の形態に係る時計装置７６として、重ね型携帯電話機２０を充電器３０に取付けた後の時刻表示の調節動作を示す図である。
【図８】本発明の第２の実施の形態に係る時計装置８４として、重ね型携帯電話機８０を充電器８２に取付けた後の時刻表示の調節動作を示す図である。
【図９】従来の携帯端末装置２とその充電器４を示す斜視図である。
【符号の説明】
【００７２】
２  携帯端末装置
４  充電器
６  受電端子
８  給電端子
２０  重ね型携帯電話機
２２  表示部
２２ａ  表示面
２４  第１筐体
２４ａ  端部
２４ｂ  面
２４ｃ  背面
２６  操作部
２８  第２筐体
２８ａ  端部
２８ｂ  操作面
２８ｃ  背面
３０  充電器
３２  板部材
３４  支柱部材
３４ａ  端部
３６  給電部
３６ａ  端面
３８  連結軸（連結部）
３８ａ  外周
４０  ピン部材
４２  歯車
４２ａ  ボス部
４２ｂ  連結孔
４２ｃ  窪み
４３，４４，４５  歯車
４６  第１の回転機構
４７  第２の回転機構
４８  孔部
５０ａ，５０ｂ  給電端子
５２ａ，５２ｂ  受電端子
５４  モーター
５６  回転軸
５６ａ  先端部
５８  軸受孔
６０  モーター
６２，６４  角度センサー
６６  スピーカー
６８  マイクロホン
７０  無線部
７２  制御部
７４  二次電池
７４ａ  残量検出部
７６  時計装置
８０  重ね型携帯端末装置
８２  充電器
８４  時計装置
【図１】
2005244808.tif 000003
【図２】
2005244808.tif 000004
【図３】
2005244808.tif 000005
【図４】
2005244808.tif 000006
【図５】
2005244808.tif 000007
【図６】
2005244808.tif 000008
【図７】
2005244808.tif 000009
【図８】
2005244808.tif 000010
【図９】
2005244808.tif 000011